(57)【要約】【課題】  デュプレクサ内に用いられる受信フィルタを小型化する。【解決手段】  受信フィルタ１５が送信周波数ＴＸ１と受信周波数ＲＸ２とを分離するとともに受信フィルタ２５が送信周波数ＴＸ２と受信周波数ＲＸ１とを分離することにより、受信フィルタ１５，２５の小型化を達成できる。その理由は、送信周波数ＴＸ１と受信周波数ＲＸ２との差及び送信周波数ＴＸ２と受信周波数ＲＸ１との差は、いずれも送信周波数ＴＸ１と受信周波数ＲＸ１との差よりも大きくかつ送信周波数ＴＸ２と受信周波数ＲＸ２との差よりも大きいことにより、受信フィルタ１５，２５は急峻なフィルタ特性を必要としないからである。【選択図】  図１
2014157330.tif 000002
【特許請求の範囲】
【請求項１】
第一の無線通信装置及び第二の無線通信装置を備え、
前記第一の無線通信装置は、
第一の送信周波数からなる第一の送信信号を出力する第一の送信回路部と、
第二の受信周波数からなる第一の受信信号を入力する第一の受信回路部と、
前記第一の送信信号及び前記第一の受信信号を送信及び受信する第一のアンテナと、
前記第一の送信回路部及び前記第一の受信回路部と前記第一のアンテナとの間にあって、前記第一の送信回路部から前記第一の送信信号のみを第一の送信フィルタを介して前記第一のアンテナへ通過させるとともに、前記第一のアンテナから前記第一の受信信号のみを第一の受信フィルタを介して前記第一の受信回路部へ通過させる第一のデュプレクサと、
を有し、
前記第二の無線通信装置は、
第二の送信周波数からなる第二の送信信号を出力する第二の送信回路部と、
第一の受信周波数からなる第二の受信信号を入力する第二の受信回路部と、
前記第二の送信信号及び前記第二の受信信号を送信及び受信する第二のアンテナと、
前記第二の送信回路部及び前記第二の受信回路部と前記第二のアンテナとの間にあって、前記第二の送信回路部から前記第二の送信信号のみを第二の送信フィルタを介して前記第二のアンテナへ通過させるとともに、前記第二のアンテナから前記第二の受信信号のみを第二の受信フィルタを介して前記第二の受信回路部へ通過させる第二のデュプレクサと、
を有し、
前記第一送信周波数と前記第二の受信周波数との差及び前記第二の送信周波数と前記第一の受信周波数との差は、いずれも前記第一の送信周波数と前記第一の受信周波数との差よりも大きくかつ前記第二の送信周波数と前記第二の受信周波数との差よりも大きい、
無線通信システム。
【請求項２】
前記第一のデュプレクサは、
前記第一の送信周波数の信号のみを通過させる前記第一の送信フィルタと、
前記第二の受信周波数の信号のみを通過させる前記第一の受信フィルタと、
前記第一の送信フィルタを通過した信号を前記第一アンテナへ出力するとともに、前記第一のアンテナで受信された信号を前記第一の受信フィルタへ出力する第一の合成器と、
を有し、
前記第二のデュプレクサは、
前記第二の送信周波数の信号のみを通過させる前記第二の送信フィルタと、
前記第一の受信周波数の信号のみを通過させる前記第二の受信フィルタと、
前記第二の送信フィルタを通過した信号を前記第二のアンテナへ出力するとともに、前記第二のアンテナで受信された信号を前記第二の受信フィルタへ出力する第二の合成器と、
を有する、
請求項１記載の無線通信システム。
【請求項３】
第一の無線通信装置及び第二の無線通信装置はそれぞれ携帯電話基地局用のＲＲＨ（Remote
Radio Head）である、
請求項１又は２記載の無線通信システム。
【請求項４】
前記第一送信周波数をｆＴＸ１、前記第一の受信周波数をｆＲＸ１、前記第二の送信周波数をｆＴＸ２、前記第二の受信周波数をｆＲＸ２としたとき、次の四通りの大小関係を含む、
ｆＲＸ１＜ｆＴＸ１＜ｆＲＸ２＜ｆＴＸ２、
ｆＲＸ１＜ｆＴＸ１＜ｆＴＸ２＜ｆＲＸ２、
ｆＴＸ１＜ｆＲＸ１＜ｆＲＸ２＜ｆＴＸ２、
ｆＴＸ１＜ｆＲＸ１＜ｆＴＸ２＜ｆＲＸ２、
請求項１、２又は３記載の無線通信システム。
【発明の詳細な説明】
【技術分野】
【０００１】
本発明は、携帯電話基地局用のＲＲＨ（Remote Radio Head）などの無線通信装置からなる無線通信システムに関する。
【背景技術】
【０００２】
図４は、関連技術１のＲＲＨを示すブロック図である。以下、この図面に基づき説明する。【０００３】
ＲＲＨ３０は、送信信号を出力する送信回路部３１と、受信信号を入力する受信回路部３２と、送信回路部３１及び受信回路部３２とアンテナとの間にあって、送信回路部３１から送信信号のみを送信フィルタ３４を介してアンテナへ通過させるとともに、アンテナから受信信号のみを受信フィルタ３５を介して受信回路部３２へ通過させるデュプレクサ３３と、を有する。デュプレクサ３３は、送信周波数の信号のみを通過させる送信フィルタ３４と、受信周波数の信号のみを通過させる受信フィルタ３５と、送信フィルタ３４を通過した信号をアンテナへ出力するとともに、アンテナで受信された信号を受信フィルタ３５へ出力する合成器３６と、を有する。【０００４】
換言すると、ＲＲＨ３０は内部に送信回路部３１及び受信回路部３２を持ち、送信回路部３１及び受信回路部３２は合成器３６、送信フィルタ３４及び受信フィルタ３５が一体化されたデュプレクサ３３を介してアンテナと接続される。このとき、受信回路部３２からみると、送信回路部３１から出力されている送信信号は極めてレベルの高い妨害波に見える。例えば、送信出力が２０ＷのＲＲＨ３０であれば、受信信号の最小値と送信信号の最大値との差は１４０ｄＢ以上となる。このため、受信フィルタ３５では受信信号の周波数帯域の減衰（損失）量を少なくしつつ、送信信号の周波数帯域の減衰量を大きく（８０ｄＢ以上）とる必要がある。送信周波数と受信周波数とは、異なる周波数ではあるが、ある程度近い周波数となる。例えば「3GPP E UTRA Operating Band 1」であれば、送信周波数は２１１０〜２１７０ＭＨｚ、受信周波数は１９２０〜１９８０ＭＨｚであり、これらの距離は１９０ＭＨｚである。このため、受信フィルタ３５の二つの必要性能である、受信帯域の損失を小さくすること、及び、送信帯域の減衰を大きくすることを両立するためには、受信フィルタ３５に非常に急峻な特性が必要となる。急峻な特性のフィルタを実現するためにはいくつか方法があるが、素材や加工精度などが同じであれば段数を増やす必要があり、より急峻な特性のフィルタほどより大型にならざるをえない。【０００５】
図５は、関連技術２の無線通信システムを示すブロック図である。図６は、関連技術２における受信フィルタのフィルタ特性を示すグラフである。以下、図５及び図６に基づき説明する。【０００６】
図５において、関連技術２の無線通信システムは、ＲＲＨ４０及びＲＲＨ５０を備えている。【０００７】
ＲＲＨ４０は、送信周波数ＴＸ１からなる第一の送信信号を出力する送信回路部４１と、受信周波数ＲＸ１からなる第一の受信信号を入力する受信回路部４２と、第一の送信信号及び第一の受信信号を送信及び受信するアンテナ４７と、送信回路部４１及び受信回路部４２とアンテナ４７との間にあって、送信回路部４１から第一の送信信号のみを送信フィルタ４４を介してアンテナ４７へ通過させるとともに、アンテナ４７から第一の受信信号のみを受信フィルタ４５を介して受信回路部４２へ通過させるデュプレクサ４３と、を有する。【０００８】
デュプレクサ４３は、送信周波数ＴＸ１の信号のみを通過させる送信フィルタ４４と、受信周波数ＲＸ１の信号のみを通過させる受信フィルタ４５と、送信フィルタ４４を通過した信号をアンテナ４７へ出力するとともに、アンテナ４７で受信された信号を受信フィルタ４５へ出力する合成器４６と、を有する。【０００９】
ＲＲＨ５０は、送信周波数ＴＸ２からなる第二の送信信号を出力する送信回路部５１と、受信周波数ＲＸ２からなる第二の受信信号を入力する受信回路部５２と、第二の送信信号及び第二の受信信号を送信及び受信するアンテナ５７と、送信回路部５１及び受信回路部５２とアンテナ５７との間にあって、送信回路部５１から第二の送信信号のみを送信フィルタ５４を介してアンテナ５７へ通過させるとともに、アンテナ５７から第二の受信信号のみを受信フィルタ５５を介して受信回路部５２へ通過させるデュプレクサ５３と、を有する。【００１０】
デュプレクサ５３は、送信周波数ＴＸ２の信号のみを通過させる送信フィルタ５４と、受信周波数ＲＸ２の信号のみを通過させる受信フィルタ５５と、送信フィルタ５４を通過した信号をアンテナ５７へ出力するとともに、アンテナ５７で受信された信号を受信フィルタ５５へ出力する合成器５６と、を有する。【００１１】
図６において、横軸は周波数であり、縦軸はフィルタ減衰量である。受信フィルタ４５の減衰量を一点鎖線で示し、受信フィルタ５５の減衰量を二点鎖線で示す。送信周波数ＴＸ１、受信周波数ＲＸ１、送信周波数ＴＸ２、受信周波数ＲＸ２の大小関係は、それぞれの周波数をｆＴＸ１、ｆＲＸ１、ｆＴＸ２、ｆＲＸ２としたとき、
ｆＲＸ１＜ｆＴＸ１＜ｆＲＸ２＜ｆＴＸ２
となっている。【００１２】
ＬＴＥ−Ａｄｖａｎｃｅｄにおいては、複数の周波数帯域をまとめて一つの伝送帯域とみなしてデータ転送速度を上げる「キャリアアグリゲーション」と呼ばれる技術が仕様化されている。この技術を使用するためには、異なる二つの周波数帯域に対応した二つのＲＲＨをセットで運用する必要がある。「マクロセル」と呼ばれる高出力基地局装置の場合は、一つのアンテナに合成器を介して二つのＲＲＨが接続される。複数のＲＲＨが合成器を介して一つのアンテナを共有するか、個々のＲＲＨが別々のアンテナを使用するかの選択は、アンテナのコストと合成器のコストとのトレードオフになる。【００１３】
一方、最近になってリリースが始まっている「スモールセル」と呼ばれる低出力基地局装置においては、小型のアンテナを用いることにより合成器を不要とし、アンテナを個々のＲＲＨに接続することが多い。図５はその形式を示している。この図では二つのＲＲＨ４０，５０で別々のアンテナ４７，５７に接続している。
【先行技術文献】
【特許文献】
【００１４】
【特許文献１】特開２０１２−２２２４６７号公報
【発明の概要】
【発明が解決しようとする課題】
【００１５】
前述したとおり、ＬＴＥ−Ａｄｖａｎｃｅｄにおいて、複数の周波数帯域をまとめて一つの伝送帯域とみなしてデータ転送速度を上げる「キャリアアグリゲーション」と呼ばれる技術が仕様化されている。この技術を使用する場合、図５に示すように二つの周波数帯域に対応した二つのＲＲＨ４０，５０をそれぞれ用意する。ここで、それぞれの周波数帯域の周波数軸上での位置関係が、図６に示すような形であるとする。この際、それぞれのＲＲＨ４０，５０内の受信フィルタ４５，５５は、先に述べたように図６に示すような特性を要求される。【００１６】
受信フィルタ４５については、受信周波数ＲＸ１の帯域の減衰量を小さく、送信周波数ＴＸ１の帯域の減衰量を大きくする。同様に、受信フィルタ５５については、受信周波数ＲＸ２の帯域の減衰量を小さく、送信周波数ＴＸ２の帯域の減衰量を大きくする。このため、図６中で破線の丸で囲った部分（受信周波数ＲＸ１と送信周波数ＴＸ１との間、及び、受信周波数ＲＸ２と送信周波数ＴＸ２との間）の傾斜を急峻にする必要があり、これが受信フィルタ４５，５５のサイズを決定することになる。【００１７】
ＲＲＨ４０，５０全体の体積の中でデュプレクサ１３，２３の占める割合は大きく（２０〜５０％程度）、デュプレクサ１３，２３のサイズはＲＲＨ４０，５０自体の大きさを左右する。しかし、新技術を用いたフィルタなどのブレイクスルーが実現しない限り、デュプレクサ１３，２３を小型化することは難しい。【００１８】
そこで、本発明の目的は、デュプレクサ内に用いられる受信フィルタを小型化し得る、無線通信システムを提供することにある。
【課題を解決するための手段】
【００１９】
本発明に係る無線通信システムは、
第一の無線通信装置及び第二の無線通信装置を備え、
前記第一の無線通信装置は、
第一の送信周波数からなる第一の送信信号を出力する第一の送信回路部と、
第二の受信周波数からなる第一の受信信号を入力する第一の受信回路部と、
前記第一の送信信号及び前記第一の受信信号を送信及び受信する第一のアンテナと、
前記第一の送信回路部及び前記第一の受信回路部と前記第一のアンテナとの間にあって、前記第一の送信回路部から第一の送信信号のみを第一の送信フィルタを介して前記第一のアンテナへ通過させるとともに、前記第一のアンテナから第一の受信信号のみを第一の受信フィルタを介して前記第一の受信回路部へ通過させる第一のデュプレクサと、
を有し、
前記第二の無線通信装置は、
第二の送信周波数からなる第二の送信信号を出力する第二の送信回路部と、
第一の受信周波数からなる第二の受信信号を入力する第二の受信回路部と、
前記第二の送信信号及び前記第二の受信信号を送信及び受信する第二のアンテナと、
前記第二の送信回路部及び前記第二の受信回路部と前記第二のアンテナとの間にあって、前記第二の送信回路部から第二の送信信号のみを第二の送信フィルタを介して前記第二のアンテナへ通過させるとともに、前記第二のアンテナから第二の受信信号のみを第二の受信フィルタを介して前記第二の受信回路部へ通過させる第二のデュプレクサと、
を有し、
前記第一送信周波数と前記第二の受信周波数との差及び前記第二の送信周波数と前記第一の受信周波数との差は、いずれも前記第一の送信周波数と前記第一の受信周波数との差よりも大きくかつ前記第二の送信周波数と前記第二の受信周波数との差よりも大きい。
【発明の効果】
【００２０】
関連技術では第一の受信フィルタが第一の送信周波数と第一の受信周波数とを分離するとともに第二の受信フィルタが第二の送信周波数と第二の受信周波数とを分離するのに対し、本発明では第一の受信フィルタが第一の送信周波数と第二の受信周波数とを分離するとともに第二の受信フィルタが第二の送信周波数と第一の受信周波数とを分離することにより、本発明における第一及び第二の受信フィルタの小型化を達成できる。その理由は、第一送信周波数と第二の受信周波数との差及び第二の送信周波数と第一の受信周波数との差は、いずれも第一の送信周波数と第一の受信周波数との差よりも大きくかつ第二の送信周波数と第二の受信周波数との差よりも大きいことにより、本発明における第一及び第二の受信フィルタは関連技術における第一及び第二の受信フィルタに比べて急峻なフィルタ特性を必要としないからである。
【図面の簡単な説明】
【００２１】
【図１】実施形態１の無線通信システムを示すブロック図である。
【図２】実施形態１における受信フィルタのフィルタ特性を示すグラフ（その１）である。
【図３】実施形態１における受信フィルタのフィルタ特性を示すグラフ（その２）である。
【図４】関連技術１のＲＲＨを示すブロック図である。
【図５】関連技術２の無線通信システムを示すブロック図である。
【図６】関連技術２における受信フィルタのフィルタ特性を示すグラフである。
【発明を実施するための形態】
【００２２】
以下、添付図面を参照しながら、本発明を実施するための形態（以下「実施形態」という。）について説明する。なお、特許請求の範囲で用いた「第一」及び「第二」の序数詞は適宜省略する。
【００２３】
図１は、実施形態１の無線通信システムを示すブロック図である。図２は、実施形態１における受信フィルタのフィルタ特性を示すグラフ（その１）である。図３は、実施形態１における受信フィルタのフィルタ特性を示すグラフ（その２）である。以下、これらの図面に基づき説明する。なお、図１では本発明に直接関係のない部分を省略している。
【００２４】
図１において、本実施形態１の無線通信システムは、第一の無線通信装置としてのＲＲＨ１０及び第二の無線通信装置としてのＲＲＨ２０を備えている。
【００２５】
ＲＲＨ１０は、第一の送信周波数ＴＸ１及び第二の受信周波数ＲＸ２に対応している。第一の送信回路部１１は、送信周波数ＴＸ１に対応した電気回路である。第一の受信回路部１２は、受信周波数ＲＸ２に対応した電気回路である。第一のデュプレクサ１３は、送信周波数ＴＸ１及び受信周波数ＲＸ２に対応している。第一の送信フィルタ１４は、送信周波数ＴＸ１に対応したバンドパスフィルタである。第一の受信フィルタ１５は、受信周波数ＲＸ２に対応したバンドパスフィルタである。第一の合成器１６は、送信回路部１１側と受信回路部１２側とを接続する。第一のアンテナ１７は、送信周波数ＴＸ１及び受信周波数ＲＸ２を使用するＲＲＨ１０用である。
【００２６】
ＲＲＨ２０は、第二の送信周波数ＴＸ２及び第一の受信周波数ＲＸ１に対応している。第二の送信回路部２１は、送信周波数ＴＸ２に対応した電気回路である。第二の受信回路部２２は、受信周波数ＲＸ１に対応した電気回路である。第二のデュプレクサ２３は、送信周波数ＴＸ２及び受信周波数ＲＸ１に対応している。第二の送信フィルタ２４は、送信周波数ＴＸ２に対応したバンドパスフィルタである。第二の受信フィルタ２５は、受信周波数ＲＸ１に対応したバンドパスフィルタである。第二の合成器１６は、送信回路部２１側と受信回路部２２側とを接続する。第二のアンテナ２７は、送信周波数ＴＸ２及び受信周波数ＲＸ１を使用するＲＲＨ２０用である。
【００２７】
換言すると、ＲＲＨ１０は、送信周波数ＴＸ１からなる第一の送信信号を出力する送信回路部１１と、受信周波数ＲＸ２からなる第一の受信信号を入力する受信回路部１２と、第一の送信信号及び第一の受信信号を送信及び受信するアンテナ１７と、送信回路部１１及び受信回路部１２とアンテナ１７との間にあって、送信回路部１１から第一の送信信号のみを送信フィルタ１４を介してアンテナ１７へ通過させるとともに、アンテナ１７から第一の受信信号のみを受信フィルタ１５を介して受信回路部１２へ通過させるデュプレクサ１３と、を有する。
【００２８】
デュプレクサ１３は、送信周波数ＴＸ２の信号のみを通過させる送信フィルタ１４と、受信周波数ＲＸ２の信号のみを通過させる受信フィルタ１５と、送信フィルタ１４を通過した信号をアンテナ１７へ出力するとともに、アンテナ１７で受信された信号を受信フィルタ１５へ出力する合成器１６と、を有する。
【００２９】
換言すると、ＲＲＨ２０は、送信周波数ＴＸ２からなる第二の送信信号を出力する送信回路部２１と、受信周波数ＲＸ１からなる第二の受信信号を入力する受信回路部２２と、第二の送信信号及び第二の受信信号を送信及び受信するアンテナ２７と、送信回路部２１及び受信回路部２２とアンテナ２７との間にあって、送信回路部２１から第二の送信信号のみを送信フィルタ２４を介してアンテナ２７へ通過させるとともに、アンテナ２７から第二の受信信号のみを受信フィルタ２５を介して受信回路部２２へ通過させるデュプレクサ２３と、を有する。
【００３０】
デュプレクサ２３は、送信周波数ＴＸ２の信号のみを通過させる送信フィルタ２４と、受信周波数ＲＸ２の信号のみを通過させる受信フィルタ２５と、送信フィルタ２４を通過した信号をアンテナ２７へ出力するとともに、アンテナ２７で受信された信号を受信フィルタ２５へ出力する合成器２６と、を有する。
【００３１】
図２及び図３において、横軸は周波数であり、縦軸はフィルタ減衰量である。受信フィルタ２５の減衰量を一点鎖線で示し、受信フィルタ１５の減衰量を二点鎖線で示す。送信周波数ＴＸ１、受信周波数ＲＸ１、送信周波数ＴＸ２、受信周波数ＲＸ２の大小関係は、それぞれの周波数をｆＴＸ１、ｆＲＸ１、ｆＴＸ２、ｆＲＸ２としたとき、
ｆＲＸ１＜ｆＴＸ１＜ｆＲＸ２＜ｆＴＸ２
となっている。
【００３２】
上記大小関係は、つぎのような組み合わせも可能である。
ｆＲＸ１＜ｆＴＸ１＜ｆＴＸ２＜ｆＲＸ２、
ｆＴＸ１＜ｆＲＸ１＜ｆＲＸ２＜ｆＴＸ２、
ｆＴＸ１＜ｆＲＸ１＜ｆＴＸ２＜ｆＲＸ２。
【００３３】
また、送信周波数ＴＸ１と受信周波数ＲＸ２との差ｆ（ＴＸ１−ＲＸ２）及び送信周波数ＴＸ２と受信周波数ＲＸ１との差ｆ（ＴＸ２−ＲＸ１）は、いずれも送信周波数ＴＸ１と受信周波数ＲＸ１との差ｆ（ＴＸ１−ＲＸ１）よりも大きくかつ送信周波数ＴＸ２と受信周波数ＲＸ２との差ｆ（ＴＸ２−ＲＸ２）よりも大きい。
【００３４】
次に、本実施形態１の無線通信システムの効果について説明する。
【００３５】
図５に示す関連技術２では受信フィルタ４５が送信周波数ＴＸ１と受信周波数ＲＸ１とを分離するとともに受信フィルタ５５が送信周波数ＴＸ２と受信周波数ＲＸ２とを分離するのに対し、図１に示す本実施形態１では受信フィルタ１５が送信周波数ＴＸ１と受信周波数ＲＸ２とを分離するとともに受信フィルタ２５が送信周波数ＴＸ２と受信周波数ＲＸ１とを分離することにより、本実施形態１における受信フィルタ１５，２５の小型化を達成できる。その理由は、送信周波数ＴＸ１と受信周波数ＲＸ２との差ｆ（ＴＸ１−ＲＸ２）及び送信周波数ＴＸ２と受信周波数ＲＸ１との差ｆ（ＴＸ２−ＲＸ１）は、いずれも送信周波数ＴＸ１と受信周波数ＲＸ１との差ｆ（ＴＸ１−ＲＸ１）よりも大きくかつ送信周波数ＴＸ２と受信周波数ＲＸ２との差ｆ（ＴＸ２−ＲＸ２）よりも大きいことにより、本実施形態１における受信フィルタ１５，２５は関連技術２における受信フィルタ４５，５５に比べて急峻なフィルタ特性を必要としないからである。
【００３６】
次に、本実施形態１の無線通信システムについて、更に詳しく説明する。
【００３７】
ＬＴＥ−Ａｄｖａｎｃｅｄにおいて複数の周波数帯域をまとめて一つの伝送帯域とみなしてデータ転送速度を上げるキャリアアグリゲーションを使用する場合には、通常は図５に示す構成の二台のＲＲＨ４０，５０を使う。本実施形態１では、その代わりに図１に示す構成の二台のＲＲＨ１０，２０を用意する。一台ずつで運用することを考えれば図１に示す構成のＲＲＨ１０，２０は役に立たないが、二台セットでシステムとして運用することを考えれば図５の構成と図１の構成とは同じ機能を果たす（機能上は有利も不利もない）。
【００３８】
このとき、図５に示す関連技術２ではデュプレクサ４３を介して接続される送信回路部４１及び受信回路部４２が送信周波数ＴＸ１及び受信周波数ＲＸ１を使用するのに対して、図１に示す本実施形態１ではデュプレクサ１３を介して接続される送信回路部１１及び受信回路部１２が送信周波数ＴＸ１及び受信周波数ＲＸ２を使用する。そのため、関連技術２における受信フィルタ４５に対して、本実施形態１における受信フィルタ１５の必要減衰量も図２のごとく変わる。すなわち、受信フィルタ１５については受信周波数ＲＸ２の帯域の減衰量を小さく、送信周波数ＴＸ１の帯域の減衰量を大きくする。関連技術２における送信周波数ＴＸ１と受信周波数ＲＸ１との周波数差に比べて、本実施形態１における送信周波数ＴＸ１と受信周波数ＲＸ２との周波数差の方が大きいために、フィルタ特性の傾斜は受信フィルタ４５に比べて受信フィルタ１５を緩くすることができる。このことは、本実施形態１におけるもう一つの受信フィルタ２５についても同様である。これにより、受信フィルタ１５，２５の段数削減、ひいては受信フィルタ１５，２５の小型化を実現することができる。
【００３９】
本実施形態１の構成は、キャリアアグリゲーション時に二つのＲＲＨで一つのアンテナを共有する形の運用形態の場合は適用する意味が少ない。アンテナを介することで、結局図５の構成と同じような接続をしたことになるためである。スモールセルでの個々のＲＲＨに別々のアンテナをつける運用形態にすることで、アンテナ間の空間アイソレーションがとれるため、このような設計を適用することができる。
【００４０】
実際にはこのアンテナ間の空間アイソレーションも有限の値であるため、元の帯域の規格はなくなるわけではなく、アイソレーションの分だけ緩和される形になる。具体例を図３に示すように、受信フィルタ２５における送信周波数ＴＸ１の帯域の減衰量の規格は、元の規格から空間アイソレーションの値をそのまま引いた値になる。受信フィルタ１５における送信周波数ＴＸ２の帯域の減衰量の規格についても同様である。この空間アイソレーションの量は、アンテナの配置などにより大きく変わるが、３０ｄＢ〜６０ｄＢ程度の値となるので、規格の緩和量もその値となる。
【００４１】
換言すると、本発明では、携帯電話基地局用ＲＲＨにて、マルチバンド運用を前提として二機種一組の設計を行うことにより、フィルタ部の小型化、ひいては装置自体の小型化が可能である。
【００４２】
以上、上記実施形態を参照して本発明を説明したが、本発明は上記実施形態に限定されるものではない。本発明の構成や詳細については、当業者が理解し得るさまざまな変更を加えることができる。また、本発明には、上記実施形態の構成の一部又は全部を相互に適宜組み合わせたものも含まれる。
【００４３】
上記の実施形態の一部又は全部は以下の付記のようにも記載され得るが、本発明は以下の構成に限定されるものではない。
【００４４】
［付記１］第一の無線通信装置及び第二の無線通信装置を備え、
前記第一の無線通信装置は、
第一の送信周波数からなる第一の送信信号を出力する第一の送信回路部と、
第二の受信周波数からなる第一の受信信号を入力する第一の受信回路部と、
前記第一の送信信号及び前記第一の受信信号を送信及び受信する第一のアンテナと、
前記第一の送信回路部及び前記第一の受信回路部と前記第一のアンテナとの間にあって、前記第一の送信回路部から前記第一の送信信号のみを第一の送信フィルタを介して前記第一のアンテナへ通過させるとともに、前記第一のアンテナから前記第一の受信信号のみを第一の受信フィルタを介して前記第一の受信回路部へ通過させる第一のデュプレクサと、
を有し、
前記第二の無線通信装置は、
第二の送信周波数からなる第二の送信信号を出力する第二の送信回路部と、
第一の受信周波数からなる第二の受信信号を入力する第二の受信回路部と、
前記第二の送信信号及び前記第二の受信信号を送信及び受信する第二のアンテナと、
前記第二の送信回路部及び前記第二の受信回路部と前記第二のアンテナとの間にあって、前記第二の送信回路部から前記第二の送信信号のみを第二の送信フィルタを介して前記第二のアンテナへ通過させるとともに、前記第二のアンテナから前記第二の受信信号のみを第二の受信フィルタを介して前記第二の受信回路部へ通過させる第二のデュプレクサと、
を有し、
前記第一送信周波数と前記第二の受信周波数との差及び前記第二の送信周波数と前記第一の受信周波数との差は、いずれも前記第一の送信周波数と前記第一の受信周波数との差よりも大きくかつ前記第二の送信周波数と前記第二の受信周波数との差よりも大きい、
無線通信システム。
【００４５】
［付記２］前記第一のデュプレクサは、
前記第一の送信周波数の信号のみを通過させる前記第一の送信フィルタと、
前記第二の受信周波数の信号のみを通過させる前記第一の受信フィルタと、
前記第一の送信フィルタを通過した信号を前記第一アンテナへ出力するとともに、前記第一のアンテナで受信された信号を前記第一の受信フィルタへ出力する第一の合成器と、
を有し、
前記第二のデュプレクサは、
前記第二の送信周波数の信号のみを通過させる前記第二の送信フィルタと、
前記第一の受信周波数の信号のみを通過させる前記第二の受信フィルタと、
前記第二の送信フィルタを通過した信号を前記第二のアンテナへ出力するとともに、前記第二のアンテナで受信された信号を前記第二の受信フィルタへ出力する第二の合成器と、
を有する、
付記１記載の無線通信システム。
【００４６】
［付記３］第一の無線通信装置及び第二の無線通信装置はそれぞれ携帯電話基地局用のＲＲＨ（Remote Radio Head）である、
付記１又は２記載の無線通信システム。
【００４７】
［付記４］前記第一送信周波数をｆＴＸ１、前記第一の受信周波数をｆＲＸ１、前記第二の送信周波数をｆＴＸ２、前記第二の受信周波数をｆＲＸ２としたとき、次の四通りの大小関係を含む、
ｆＲＸ１＜ｆＴＸ１＜ｆＲＸ２＜ｆＴＸ２、
ｆＲＸ１＜ｆＴＸ１＜ｆＴＸ２＜ｆＲＸ２、
ｆＴＸ１＜ｆＲＸ１＜ｆＲＸ２＜ｆＴＸ２、
ｆＴＸ１＜ｆＲＸ１＜ｆＴＸ２＜ｆＲＸ２、
付記１、２又は３記載の無線通信システム。
【産業上の利用可能性】
【００４８】
本発明は、例えば携帯電話基地局用のＲＲＨ（Remote Radio Head）などの無線通信装置からなる無線通信システムに利用可能である。【００４９】
この出願は２０１３年３月２６日に出願された日本出願特願２０１３−０６３９０８を基礎とする優先権を主張し、その開示の全てをここに取り込む。
【符号の説明】
【００５０】
１０  ＲＲＨ（ＴＸ１，ＲＸ２）
１１  送信回路部（ＴＸ１）
１２  受信回路部（ＲＸ２）
１３  デュプレクサ（ＴＸ１，ＲＸ２）
１４  送信フィルタ（ＴＸ１）
１５  受信フィルタ（ＲＸ２）
１６  合成器（ＴＸ１，ＲＸ２）
１７  アンテナ（ＴＸ１，ＲＸ２）【００５１】
２０  ＲＲＨ（ＴＸ２，ＲＸ１）
２１  送信回路部（ＴＸ２）
２２  受信回路部（ＲＸ１）
２３  デュプレクサ（ＴＸ２，ＲＸ１）
２４  送信フィルタ（ＴＸ２）
２５  受信フィルタ（ＲＸ１）
２６  合成器（ＴＸ２，ＲＸ１）
２７  アンテナ（ＴＸ２，ＲＸ１）【００５２】
３０  ＲＲＨ
３１  送信回路部
３２  受信回路部
３３  デュプレクサ
３４  送信フィルタ
３５  受信フィルタ
３６  合成器【００５３】
４０  ＲＲＨ（ＴＸ１，ＲＸ１）
４１  送信回路部（ＴＸ１）
４２  受信回路部（ＲＸ１）
４３  デュプレクサ（ＴＸ１，ＲＸ１）
４４  送信フィルタ（ＴＸ１）
４５  受信フィルタ（ＲＸ１）
４６  合成器（ＴＸ１，ＲＸ１）
４７  アンテナ（ＴＸ１，ＲＸ１）【００５４】
５０  ＲＲＨ（ＴＸ２，ＲＸ２）
５１  送信回路部（ＴＸ２）
５２  受信回路部（ＲＸ２）
５３  デュプレクサ（ＴＸ２，ＲＸ２）
５４  送信フィルタ（ＴＸ２）
５５  受信フィルタ（ＲＸ２）
５６  合成器（ＴＸ２，ＲＸ２）
５７  アンテナ（ＴＸ２，ＲＸ２）
【図１】
2014157330.tif 000003
【図２】
2014157330.tif 000004
【図３】
2014157330.tif 000005
【図４】
2014157330.tif 000006
【図５】
2014157330.tif 000007
【図６】
2014157330.tif 000008
【国際調査報告】
2014157330.tif 000009
2014157330.tif 000010
2014157330.tif 000011
2014157330.tif 000012